(57)【要約】【課題】  部品点数の削減、組立工数の低減を図れるようにする。【解決手段】  表示部または操作部を備えたものにおいて、発光素子またはスイッチ構造を備えたシート基板６を用い、シート基板６を機器筐体１の所定位置に貼り付けして表示部１４または操作部１３として、一括した一部品扱いを可能にし、部品点数・工数を削減する。そして、筐体とプリント基板との間隔をプリント基板に実装する部品の高さに制限されることなく決めることができるようにする。【選択図】        図１
2004318813.tif 000002
【特許請求の範囲】
【請求項１】
機器筐体に少なくとも表示部または操作部を備えた火災報知設備用機器において、
発光素子またはスイッチ構造を備えたシート基板を用い、該シート基板を機器筐体の所定位置に貼り付けして表示部または操作部としたことを特徴とする火災報知設備用機器。
【請求項２】
前記シート基板は、機器筐体の扉前面に直に、又は該扉から独立したパネルに貼り付けるとともに、機器筐体内のプリント基板との間をコネクタにて接続したことを特徴とする請求項１記載の火災報知設備用機器。
【請求項３】
前記シート基板上に、各回線毎の火災状況を表示する地区灯を配置したことを特徴とする請求項１又は請求項２記載の火災報知設備用機器。
【請求項４】
前記地区灯を、シート基板の右端または左端に縦方向にまたは上部に横方向に並べて配置したことを特徴とする請求項３記載の火災報知設備用機器。
【請求項５】
前記地区灯に付属して監視対象地区名を記入表示する地区窓を、各地区灯の外側にそれぞれ近接配置したことを特徴とする請求項４記載の火災報知設備用機器。
【請求項６】
機器筐体に少なくとも表示部を備えた火災報知設備用機器において、
表示部として発光素子を備えたシート基板を用い、該シート基板の表面部材における発光素子の外周部分を所定の色に着色したことを特徴とする火災報知設備用機器。
【請求項７】
機器筐体に少なくとも表示部または操作部を備えた火災報知設備用機器において、
前記表示部または操作部を機器筐体の前面側に突出して配置したことを特徴とする火災報知設備用機器。
【発明の詳細な説明】
【技術分野】
【０００１】
本発明は、機器筐体に少なくとも表示部または操作部を備えた火災報知設備用機器に関し、例えば表示部および操作部を有する火災報知設備用機器に関する。
【背景技術】
【０００２】
従来より、機器筐体に少なくとも表示部または操作部を備えた火災報知設備用機器の一例として、表示部および操作部を有し、各所に配置された火災感知器を制御する火災報知設備用機器、例えば火災受信機が知られている。このようなものにおいて、表示部、操作部は以下のように構成されている。すなわち、機器筐体の内部に各種表示を行うＬＥＤ、各種操作を行うスイッチ等を実装した基板と、スイッチを操作するためのキートップ等が取り付けられ、樹脂モールドで成形された表示パネルを筐体本体に取り付け、さらに、パネル前面に各種表示やスイッチの内容を表す文字や枠や模様等を印刷したシール（操作内容表示用シート）を貼付して構成されていた（例えば、特許文献１参照）。
【０００３】
【特許文献１】特開平９−６９１９７号公報
【発明の開示】
【発明が解決しようとする課題】
【０００４】
従来の火災報知設備用機器では、表示部、操作部が前述のように構成されているので、表示部、操作部の部品の高さに応じて、表示パネルと基板との間に正確に間隔を取る必要がある。スイッチの種類によってその高さが異なる場合があり、最も高いスイッチに表示パネルと基板との間隔を合わせると、高さの低いスイッチには間隔を合わせるための部材が必要となる。また、ＬＥＤにもその間隔で表示が見えるように、例えば光ガイド等を設けなければならない場合がある。また、基板には表示部、操作部以外の部品、例えばブザー等の部品が設けられているので、これらの部品の高さも考慮して、前記した間隔を合わせるための各種部材が必要となる。このような構成では、表示部、操作部の部品または部材の点数が多くなり、組立工数の低減が図れず、コスト高とならざるを得ない。なお、表示部と操作部を別々の基板を用いて構成したとしても、それぞれを構成する部品の高さに応じて、前記した間隔を合わせるための各種部材が必要となり、表示部または操作部を構成する部品または部材の点数が多くなり、組立工数の低減が図れず、コスト高とならざるを得ない。
また、この火災報知設備用機器は、扉の表示窓を介して表示部、操作部を視認することができるように構成されているが、表示部、操作部は機器前面よりも内方（機器背面側）に位置している。そのため、表示部、操作部は機器正面以外の場所からの視認性が悪く、緊急時における各種表示の確認および各種スイッチの操作が素早く行えなかった。
【０００５】
本発明の技術的課題は、部品点数の削減、組立工数の低減を図れるようにすることにある。
また、本発明の別の技術的課題は、表示部または操作部の視認性を向上させるようにすることにある。
【課題を解決するための手段】
【０００６】
本発明の請求項１に係る火災報知設備用機器は、下記の構成からなるものである。すなわち、機器筐体に少なくとも表示部または操作部を備えた火災報知設備用機器において、発光素子またはスイッチ構造を備えたシート基板を用い、このシート基板を機器筐体の所定位置に貼り付けして表示部または操作部としたものである。
【０００７】
また、本発明の請求項２に係る火災報知設備用機器は、前記シート基板を、機器筐体の扉前面に直に、又は該扉から独立したパネルに貼り付けるとともに、機器筐体内のプリント基板との間をコネクタにて接続したものである。
【０００８】
また、本発明の請求項３に係る火災報知設備用機器は、前記シート基板上に、各回線毎の火災状況を表示する地区灯を配置したものである。
【０００９】
また、本発明の請求項４に係る火災報知設備用機器は、前記地区灯を、シート基板の右端または左端に縦方向にまたは上部に横方向に並べて配置したものである。
【００１０】
また、本発明の請求項５に係る火災報知設備用機器は、前記地区灯に付属して監視対象地区名を記入表示する地区窓を、各地区灯の外側にそれぞれ近接配置したものである。
【００１１】
また、本発明の請求項６に係る火災報知設備用機器は、下記の構成からなるものである。すなわち、機器筐体に少なくとも表示部を備えた火災報知設備用機器において、表示部として発光素子を備えたシート基板を用い、このシート基板の表面部材における発光素子の外周部分を所定の色に着色したものである。
【００１２】
また、本発明の請求項７に係る火災報知設備用機器は、下記の構成からなるものである。すなわち、機器筐体に少なくとも表示部または操作部を備えた火災報知設備用機器において、前記表示部または操作部を機器筐体の前面側に突出して配置したものである。
【発明の効果】
【００１３】
請求項１に係る火災報知設備用機器においては、発光素子またはスイッチ構造を備えたシート基板を用い、シート基板を機器筐体の所定位置に貼り付けして表示部または操作部とするので、表示部または操作部に対して、一括した一部品扱いが可能となり、部品点数・工数を削減することができる。また、このようにすることで、筐体とプリント基板との間隔をプリント基板に実装する部品の高さに制限されることなく決めることができる。さらに、シート基板は例えばフレキシブルなシート基板であれば、平面のみならず、例えば曲面等にも配置可能である。なお、表示部および操作部をシート基板にて一体に構成すると、さらに一括した一部品扱いが可能となり、部品点数・工数を削減することができる。また、発光素子やスイッチの配置（レイアウト）を変更するとき、従来は筐体の発光素子取付用穴やスイッチ取付用穴の配置を変更する必要があった（筐体のプレス型の変更等を要した）が、本発明の火災報知設備用機器においては、シート基板を必要に応じた配置に変えればよく、同じ筐体で配置の異なる機器が自由に作れ、筐体の汎用性を拡げることができる。
【００１４】
請求項２に係る火災報知設備用機器においては、シート基板を、機器筐体の扉前面に直に、またはこの扉から独立したパネルに貼り付けるとともに、機器筐体内のプリント基板との間をコネクタにて接続するようにしているので、表示部または操作部に対して、一括した一部品扱いが可能となり、部品点数・工数を削減することができる。
【００１５】
請求項３に係る火災報知設備用機器においては、シート基板上に、各回線毎の火災状況を表示する地区灯を配置しているので、より一層部品点数・工数を削減することができて、低コストで火災報知設備用機器の表示部または操作部を構成することができる。
【００１６】
請求項４に係る火災報知設備用機器においては、地区灯を、シート基板の右端または左端に縦方向に並べて配置しているので、警戒地区の位置と火災表示部の表示とがイメージ的に一致し、火災の発生地区を素速くかつ確実に確認することができる。さらに、表示部または操作部を構成するシート基板を最小限の横方向の大きさとすることができる。
【００１７】
また、地区灯を、シート基板の上部に横方向に並べて配置しているので、シート基板の縦寸法を圧縮することができ、設置スペースを高さ方向で確保するのが難しい個所への横長機器の設置が可能となる。
【００１８】
請求項５に係る火災報知設備用機器においては、縦方向に並べて配置した地区灯に付属して監視対象地区名を記入表示する地区窓を、各地区灯の外側にそれぞれ近接配置しているので、表示部または操作部を構成するシート基板を最小限の横方向の大きさとすることができ、また火災地区表示部が他の操作部または表示部との位置が離れることのない盤面配置が可能となる。
【００１９】
請求項６に係る火災報知設備用機器においては、表示部として発光素子を備えたシート基板を用い、シート基板の表面部材のうち発光素子の外周部分を所定の色に着色するようにしているので、表示部または操作部に対して、一括した一部品扱いが可能となり、部品点数・工数を削減することができるとともに、表面部材の着色により発光素子の発光がより際立つようになり、視認性が向上して緊急時における発光表示の確認を素早く行うことが可能となる。また、このようにしたので、筐体とプリント基板との間隔をプリント基板に実装する部品の高さに制限されることなく決めることができる。さらに、シート基板は例えばフレキシブルなシート基板であれば、平面のみならず、例えば曲面等にも配置可能である。
【００２０】
請求項７に係る火災報知設備用機器においては、表示部または操作部を機器筐体の前面側に突出させて配置しているので、広角度よりの視認性が向上する。つまり表示部、操作部は機器正面以外の場所、機器上下側面方向からも確実に視認することができ、緊急時における各種表示の確認、各種スイッチの機能内容を視認して操作したいスイッチの操作を素早く行ったりすることが可能となる。
【発明を実施するための最良の形態】
【００２１】
実施形態１．
図１は本発明の第１の実施形態に係る火災報知設備用機器を示す正面図、及び下面図、図２は図１中のＡで囲まれているシート基板およびその貼り付けパネル部の拡大正面図、図３はそのシート基板の一部拡大表示を含む厚み方向の断面図である。なお、ここでは火災報知設備用機器として火災受信機を例に挙げて説明する。また、詳細な説明は省略するが、本実施形態の火災報知設備用機器すなわち火災受信機は、建屋の例えば管理室等に設置され、筐体内のプリント基板に複数の感知器回線を介して接続されて建屋の各所に配置された複数の火災感知器を制御するものであり、例えば、火災感知器が感知器回線を介して火災信号を出力すると、この感知器回線に対応した地区灯が火災表示を行い、また操作部の復旧スイッチの操作によりこの火災状態から通常状態に復旧することが可能である。
【００２２】
本実施形態の火災報知設備用機器すなわち火災受信機は、制御用のその筐体１が、プリント基板（図示せず）が収納される有底枠状の本体フレーム２と、本体フレーム２の一側辺両端部に２組の蝶番部３，３により枢着されてその前面を開閉自在に覆う浅い箱状の扉４とから構成され、機器筐体１の所定位置の一例として、扉４の前面に配置されたパネル部５にシート基板６が貼り付けられ、シート基板６と筐体１内のプリント基板とがコネクタ配線１２（図３）にて電気的に接続されるようになっている。
【００２３】
これを更に詳述すると、本体フレーム２、扉４は、いずれも合成樹脂からなり、蝶番部３は、本体フレーム２と扉４とにモールドによりそれぞれ一体成形されている。すなわち、蝶番部３は、扉４の右側辺の上下両端部に外付状態に設けられて外端面にそれぞれ軸７ａ，７ａが突設された円筒部７，７と、前記円筒部７，７の軸７ａ，７ａ（図１に一方の軸のみ示す）が嵌入可能に本体フレーム２の右側辺の上下両端部に外付状態に張り出させて設けられた軸受片８，８とから構成され、扉４側の軸７ａ，７ａを本体フレーム２側の軸受片８，８にこれらのばね力を利用して押し込むことでこれらがワンタッチで連結されるようになっている。
【００２４】
また、両蝶番部３，３間の蝶番軸線上の複数個所（ここでは３個所）に、扉４と一体の円筒状ガイド９，９，９が設けられているとともに、本体フレーム２に、各円筒状ガイド９，９，９及び各円筒部７，７の間にほぞ組状に嵌入してこれら各円筒状ガイド９，９，９及び各円筒部７，７のスラスト方向の動きを規制するストッパ１１，１１，１１，１１が設けられている。
【００２５】
扉４のパネル部５には、シート基板６から延びるコネクタ配線１２（図３）を筐体１内に引き込むための孔（図示せず）が形成されているが、その孔はシート基板６をパネル部５に貼り付けることで、シート基板６が盲板として機能し、塞がれるようになっている。
【００２６】
シート基板６は、図３のように導電性インク等にてプラスチックフィルム上にパターン（導電パターン）及び操作部となる各種のスイッチ（接点）１３構造を印刷にて形成され、またそのパターン上に表示部となる各種のチップ状のＬＥＤ（発光素子）１４を実装させて構成されている。具体的には、ポリエステル材質の下部シート６２の上面側に回路用の導電パターン及びスイッチ１３構造の下部接点（固定接点）１３ａを印刷にて形成し、またその導電パターン上にＬＥＤ１４を実装させ、さらに回路用の導電パターンがコネクタ配線１２と電気的に接続されている。また、ポリエステル材質の上部シート６１の下面側にスイッチ１３構造の上部接点（可動接点）１３ｂを印刷にて形成し、また、ＬＥＤ１４に対応した部分に孔が形成されている。さらにそのポリエステル材質の表面シート（表面部材）１５は、図２に示すように各種表示や感知器回線番号を表す「１」〜「１０」の数字やスイッチ機能の内容を表す文字や模様等が印刷されており、またスイッチ１３やＬＥＤ１４に対応する部位１５ａ，１５ｂがエンボス加工によってシート表面より突出するように形成されることで、例えばＬＥＤ１４においては、その発光角を遮ることなく、また部位１５ｂで散乱したりすることにより、広角度よりの視認性が向上するよう配慮されている。特に、図１の下面図に示すように、表示部および操作部を構成するシート基板６が扉４の前面側から突出している。つまりシート基板６が扉４の前面側で突出形成されたパネル部５に貼り付けられているので、さらに広角度よりの視認性が向上するように配置されている。
【００２７】
また、表面シート１５は、図１、図２に示される火災代表灯としてのＬＥＤ１４ｆの外周部分１５ｃを所定の色としての赤色に着色印刷している。具体的には、図３のＢ部拡大図に示すように、表面シート１５下面におけるエンボス加工の部位１５ｂの縁部側からフラット面側にかけてのＬＥＤ１４ｆの外周部分１５ｃを赤色に着色印刷している。この赤色の着色は、ＬＥＤ１４ｆの赤色発光に対応させたものである。なお、この印刷に使用される塗料は透光性塗料でもよく、また不透光性塗料でもよい。ＬＥＤ１４ｆは指向性を有するため、透光性塗料を使用する場合は、図３のＢ部拡大図に示すように、外周部分１５ｃの一部がＬＥＤ１４ｆの投光エリアにかかるように塗布することが望ましい。そうすることで、ＬＥＤ１４ｆが点灯した場合に、ＬＥＤ１４ｆの発光強度の弱い投光エリアである着色部分も含めて明るく発光させることができる。また不透光性塗料を使用して、外周部分１５ｃがＬＥＤ１４ｆの投光エリアの外側になるように塗布しても、ＬＥＤ１４ｆが点灯した場合に、着色部分が明るく照らし出されることが実験の結果判明している。これはＬＥＤ１４ｆから放射された光が表面シート１５を透過する際、一部が表面シート１５の界面で反射されて、表面シート１５内を伝播し、不透光性塗料に照射されるためであると考えられる。このように、表面シート１５の着色によりＬＥＤ１４ｆが火災時に点灯した際の発光がより際立つようになり、視認性が向上して、緊急時における発光表示の確認を素早く行うことが可能となる。また、仮に外周部分１５ｃが発光していないとしても、ＬＥＤ１４ｆの発光と外周部分１５ｃの着色により、見かけ上の発光面積が増加するので、ＬＥＤ１４ｆが広く発光している見えて、際立つようになる。なお、着色に対応するＬＥＤは、ＬＥＤ１４ｆ以外のＬＥＤであってもよい。
【００２８】
また、上部シート６１と下部シート６２の間には、スイッチ１３構造の上部接点１３ｂ、下部接点１３ａの間隔規定用およびＬＥＤ１４の収納兼導光用のポリエステル材質のスペーサ６３が設けられ（スペーサ６３は、ＬＥＤ、スイッチやその他の電機部品の収納スペースを設けたシート状であってもよい）、そして裏面に設けられた両面接着テープ１６にてシート基板６はパネル部５に貼り付けられるようになっている。パネル部５は、シート基板６の変形防止やコネクタ配線１２の筐体１内への引き込み作業の容易化などを目的として使用されるものであり、シート基板６を直接扉４のパネル部５に貼り付けるようにしているが、例えばパネル部５の代わりに扉から独立したパネルを構成し、シート基板６をパネルに貼り付け、扉に形成した開口部内にパネルを位置させるようにしてもよい。
【００２９】
このようにシート基板６は、コネクタ配線１２、スイッチ１３、ＬＥＤ１４、表面シート１５、両面接着テープ１６、上部シート６１、下部シート６２、スペーサ６３により構成されているが、表示部および操作部としてのその動作について以下に説明する。
まず、操作部としては、例えばスイッチ１３は常時はオフ状態であり、この状態でエンボス加工の部位１５ａが押圧された時に上部接点１３ｂ、下部接点１３ａ間が閉じてスイッチ１３はオン状態となる。この押圧動作により発生する信号（オン信号）は、導電パターン、コネクタ配線１２を介して筐体１内のプリント基板に送られて火災受信機で記憶される。押圧動作を終えると、上部接点１３ｂ、下部接点１３ａ間が開き、スイッチ１３はオフ状態となるが、記憶された信号によって火災受信機ではオン状態を保持する。また、このオン状態の保持中に再度部位１５ａが押圧されるとスイッチ１３は再びオンし、このオン信号が火災受信機に送られ、今度はオフ状態を示す信号として記憶される。このようにしてスイッチ１３の操作に対応してオン／オフ状態が切り替わる。
【００３０】
次に、表示部としては、例えば前述のスイッチ１３の操作に対応した火災受信機に記憶されたオンまたはオフ状態に基づいて点灯または消灯信号が筐体１内のプリント基板からコネクタ配線１２、導電パターンを介して、操作されたスイッチ１３に対応するＬＥＤ１４に送られて、ＬＥＤ１４が点灯または消灯する。この点灯時、ＬＥＤ１４の発光は、スペーサ６３により導光されつつ、エンボス加工の部位１５ｂを介して、シート基板６の外部に良好に発光表示される。
【００３１】
シート基板６には、前述ようにして操作部となるスイッチ（接点）１３や表示部となるＬＥＤ１４が形成されるようになっているが、本実施形態では従来独立して設けられていた火災地区表示部もシート基板６上にＬＥＤ１４と同様のＬＥＤにて形成している。すなわち、シート基板６上の右端に、各回線毎の火災状況を表示する地区灯１７を縦方向に並べて配置している。そして、地区灯１７に付属して監視対象地区名を記入表示する地区窓１８を、パネル部５のエリア内における各地区灯１７の外側（ここでは右側）にそれぞれ近接配置しており、この地区灯１７と地区窓１８とで火災地区表示部を構成している。
【００３２】
なお、ここではパネル部５に地区窓１８を設けるようにしたものを例に挙げて説明しているが、これに限るものでなく、例えばシート基板６のエリアを地区窓分拡張して、つまり図２おいては、シート基板６を右側方向に拡張して、シート基板６の操作内容を表示するその表面シート１５に枠を印刷し、その枠内にラベル状の地区窓を貼り付けるようにしてもよく、またはシート基板６のエリアを地区窓分拡張して、シート基板６に枠穴を形成し、シート基板６が貼り付けられるパネル部５や扉４の前記枠穴内に露出する部分に地区窓を取り付けるようにしてもよい。この地区窓の形成手法は後述の各実施形態においても適用できるものである。
【００３３】
このように、本実施形態の火災報知設備用機器においては、スイッチ１３構造または発光素子１４，１７を備えたシート基板６を用い、シート基板６を機器筐体１の所定位置に貼り付けして表示部または操作部とするようにしているので、表示部または操作部に対して、一括した一部品扱いが可能となり、部品点数・工数を削減することができる。また、このようにしたので、筐体とプリント基板との間隔をプリント基板に実装する部品の高さに制限されることなく決めることができた。さらに、シート基板は例えばフレキシブルなシート基板であれば、平面のみならず、例えば曲面等にも配置可能である。なお、本実施形態の火災報知設備用機器においては、表示部および操作部をシート基板６にて一体に構成したので、さらに一括した一部品扱いが可能となり、部品点数・工数を削減することができた。また、発光素子やスイッチの配置（レイアウト）を変更するとき、従来は筐体の発光素子取付用穴やスイッチ取付用穴の配置を変更する必要があった（筐体のプレス型の変更等を要した）が、本実施形態の火災報知設備用機器においては、シート基板を必要に応じた配置に変えればよく、同じ筐体で配置の異なる機器が自由に作れ、筐体の汎用性を拡げることができる。
【００３４】
また、シート基板６は、筐体１の扉４の前面パネル部５に直に、又はこの扉４から独立したパネルに貼り付けるとともに、筐体１内のプリント基板との間をコネクタにて接続するようにしているので、表示部または操作部に対して、一括した一部品扱いが可能となり、部品点数・工数を削減することができる。
【００３５】
また、シート基板６上に、各回線毎の火災状況を表示する地区灯１７を配置しているので、より一層部品点数・工数を削減することができて、低コストで火災報知設備用機器の表示部または操作部を構成することができる。
【００３６】
また、地区灯１７を、シート基板の右端または左端に縦方向に並べて配置しているので、警戒地区（監視対象地区）の位置と火災表示部の表示とがイメージ的に一致し、火災の発生地区を素速くかつ確実に確認することができる。つまり、火災表示部において、その上方から高層階の警戒地区を割当て、下方にいく程、順次、低層階の警戒地区を割当てるようにすれば、火災時に点灯した位置を見ることで、火災受信機の操作者は、瞬時に建屋のどのあたりの階で火災が発生したのかを確認することが可能となる。さらに、表示部または操作部を構成するシート基板を最小限の横方向の大きさとすることができる。
【００３７】
また、地区灯１７に付属して監視対象地区名を記入表示する地区窓１８を、各地区灯１７の外側（ここでは右側）にそれぞれ近接配置しているので、表示部または操作部を構成するシート基板を最小限の横方向の大きさとすることができ、また火災地区表示部が他の操作部または表示部との位置が離れることのない盤面配置が可能となる。
【００３８】
また、本実施形態の火災報知設備用機器においては、表示部として発光素子１４，１７を備えたシート基板６を用い、シート基板６の表面部材１５のうち発光素子１４，１７の外周部分を所定の色に着色しているので、表示部または操作部に対して、一括した一部品扱いが可能となり、部品点数・工数を削減することができるとともに、表面部材１５の着色により発光素子１４，１７の発光がより際立つようになり、視認性が向上して緊急時における発光表示の確認を素早く行うことが可能となる。
また、このようにしたので、筐体とプリント基板との間隔をプリント基板に実装する部品の高さに制限されることなく決めることができた。
さらに、シート基板６は例えばフレキシブルなシート基板であれば、平面のみならず、例えば曲面等にも配置可能である。
【００３９】
なお、本実施形態の火災報知設備用機器においては、表示部および操作部をシート基板にて一体に構成したので、さらに一括した一部品扱いが可能となり、部品点数・工数を削減することができる。
【００４０】
また、本実施形態の火災報知設備用機器においては、表示部または操作部を機器筐体１の前面側に突出して配置しているので、広角度よりの視認性が向上した。つまり、表示部、操作部は、機器正面以外の場所、機器上下側面方向からも確実に視認することができ、緊急時における各種表示の確認、各種スイッチの機能内容を視認して操作したいスイッチの操作を素早く行ったりすることが可能となる。なお、表示部または操作部を機器筐体に対して突出して配置しているが、同一平面上に配置しても同様の効果を奏することができる。
【００４１】
実施形態２．
図４は本発明の第２の実施形態に係る火災報知設備用機器の要部であるシート基板およびその貼り付けパネル部を示す正面図であり、図中、前述の第１実施形態のものと同一部分には同一符号を付してある。なお、ここでも火災報知設備用機器として火災受信機を例に挙げて説明する。
【００４２】
この実施形態の火災報知設備用機器すなわち火災受信機は、筐体の扉の前面のパネル部５に貼り付けられるシート基板６Ａの左端に縦方向に並べて地区灯１７Ａを配置するとともに、地区灯１７Ａに付属して監視対象地区名を記入表示する地区窓１８Ａを、パネル部５のエリア内における各地区灯１７Ａの外側（ここでは左側）にそれぞれ近接配置した点が前述の第１実施形態のものと異なっており、それ以外の構成は前述の第１実施形態のものと基本的に同様であり、第１実施形態の持つ機能を全て備えている。
【００４３】
そのため、第１実施形態の持つ前記した効果を全て備えており、例えばこの実施形態の火災報知設備用機器においても、シート基板６Ａ上に、各回線毎の火災状況を表示する地区灯１７Ａを配置しているので、より一層部品点数・工数を削減することができて、低コストで火災報知設備用機器の表示部または操作部を構成することができる。
【００４４】
なお、ここでもシート基板６Ａや地区窓１８Ａを、扉のパネル部５に取り付けるようにしたものを例に挙げて説明しているが、シート基板６Ａや地区窓１８Ａは前述の第１実施形態に示した扉から独立したパネルに貼り付けるようにしてもよいことはいうまでもない。
【００４５】
実施形態３．
図５は本発明の第３の実施形態に係る火災報知設備用機器の要部であるシート基板を示す正面図であり、図中、前述の第１実施形態のものと同一部分には同一符号を付してある。なお、ここでも火災報知設備用機器として火災受信機を例に挙げて説明する。
【００４６】
この実施形態の火災報知設備用機器すなわち火災受信機は、地区灯１７Ｂを、シート基板６Ｂの上部に横方向に並べて配置するとともに、シート基板６Ｂのエリアを横方向に拡張して、地区灯１７Ｂに付属して監視対象地区名を記入表示する地区窓１８Ｂを、各地区灯１７Ｂの右側にそれぞれ近接配置して、シート基板６Ｂを筐体の扉に直に貼り付けるようにしている。
【００４７】
これを更に詳述すると、地区窓１８Ｂは、シート基板６Ｂの操作内容を表示するその表面シート（図３の符号１５参照）に枠を印刷し、その枠内に監視対象地区名を記入表示したラベル２１を貼り付け、その上に透明の保護板２２を張り付けることにより構成されている。それ以外の構成は前述の第１実施形態のものと基本的に同様であり、第１実施形態の持つ機能を全て備えている。なお、ラベル２１を枠内に貼り付けるだけにしてもよい。
【００４８】
この実施形態の火災報知設備用機器においては、地区灯１７Ｂを、シート基板６Ｂの上部に横方向に並べて配置しているので、シート基板の縦寸法を圧縮することができ、設置スペースを高さ方向で確保するのが難しい個所への横長機器の設置が可能となる。なお、地区灯１７Ｂだけでなく、地区窓１８Ｂもシート基板６Ｂ内に配置し、シート基板６Ｂを筐体の扉に直に貼り付けるようにしているので、部品点数・工数をさらに削減することができて、より低コストで火災報知設備用機器の表示部または操作部を構成することができる。ここで、シート基板６Ｂは、前述の第１実施形態で示した扉から独立したパネルに貼り付けるようにしてもよいことはいうまでもない。
【００４９】
なお、ここでは地区灯１７Ｂを左側に配置し、これに付属して監視対象地区名を記入表示する地区窓１８Ｂを右側に近接配置したものを例に挙げて説明しているが、これらの位置関係は逆でもよいことはいうまでもない。
【００５０】
また、前記全実施形態において、表示部または操作部をシート基板にて構成し、機器筐体の所定位置の一例として、機器筐体の扉の前面に直に、又はこの扉から独立したパネルに貼り付けるようにしたが、貼り付け以外の方法を用いて、機器筐体の扉の前面に直に、又はこの扉から独立したパネルに取り付けるようにしてもよい。
【００５１】
また、前記全実施形態において、火災報知設備用機器として火災受信機を例に挙げて説明したが、表示部または操作部をシート基板にて構成する機器であればよく、火災表示器や操作器等であってもよい。
【図面の簡単な説明】
【００５２】
【図１】本発明の第１実施形態に係る火災報知設備用機器を示す正面図、及び下面図である。
【図２】図１中のＡで囲まれているシート基板およびその貼り付けパネル部の拡大正面図である。
【図３】第１実施形態に係る火災報知設備用機器のシート基板の厚み方向の断面図である。
【図４】本発明の第２実施形態に係る火災報知設備用機器の要部であるシート基板およびその貼り付けパネル部を示す正面図である。
【図５】本発明の第３実施形態に係る火災報知設備用機器の要部であるシート基板およびその貼り付けパネル部を示す正面図である。
【符号の説明】
【００５３】
１  筐体
４  扉
５  パネル部
６，６Ａ，６Ｂ  シート基板
１２  コネクタ配線
１３  スイッチ（操作部）
１４  ＬＥＤ（表示部）
１５ｃ  ＬＥＤの外周部分
１７，１７Ａ，１７Ｂ  地区灯
１８，１８Ａ，１８Ｂ  地区窓
【図１】
2004318813.tif 000003
【図２】
2004318813.tif 000004
【図３】
2004318813.tif 000005
【図４】
2004318813.tif 000006
【図５】
2004318813.tif 000007